(57)【要約】【課題】イジェクト部材の側壁にカード排出用のハート形カムを設けてカードコネクタの幅を小さくすることができると共に、イジェクト部材を短く製作してカードコネクタ全体の長さを短く作くることができるようにして全体的に小型化することができるように構成される。【解決手段】下ハウジング部材と、該下ハウジング部材に組合せられる上ハウジング部材とによって中空のハウジング形状に形成され、カードを排出するイジェクト機構が設けられたカードコネクタにおいて、該イジェクト機構が、前記カードを排出するイジェクト部材と、該イジェクト部材を弾性附勢するばね部材とを有し、前記イジェクト部材の側壁にハート形カムを設けて該ハート形カムの周りにループ状のカム溝を形成し、前記下ハウジング部材に一端が支承されたカムレバーの他端を前記ハート形カムの周囲のガイド溝に沿って摺動可能に設けられている。【選択図】　　　　図２
2004095449.tif 000002
【特許請求の範囲】
【請求項１】
下ハウジング部材と、該下ハウジング部材に組合せられる上ハウジング部材とによって中空のハウジング形状に形成され、カードを排出するイジェクト機構が設けられたカードコネクタにおいて、
該イジェクト機構は、前記カードを排出するイジェクト部材と、該イジェクト部材を弾性附勢するばね部材とを有し、前記イジェクト部材の外側の側壁にハート形カムを設けて該ハート形カムの周りにループ状のカム溝を形成し、前記下ハウジング部材に一端が支承されたカムレバーの他端を前記ハート形カムの周囲のカム溝に沿って摺動可能に設けられたことを特徴とするカードコネクタ。
【請求項２】
前記カム溝の底面に段差を設けて、前記カムレバーの他端に対する逆方向の摺動を防止するようにしたことを特徴とする請求項１記載のカードコネクタ。
【請求項３】
前記イジェクト機構のイジェクト部材は、前記カードの切欠かれた角部が当接されるカード当接部が設けられると共に、前記イジェクト部材の側壁に前記ハート形カムと、前記ハート形カムを取り囲む上ガイド溝および下ガイド溝と、前記ハート形カムの凹み部にカムレバー係止部とを有する前記カム溝が設けられ、かつ該カムレバー係止部から分岐して延出する一対のカード排出作動開始用ガイド溝が設けられていることを特徴とする請求項１記載のカードコネクタ。
【請求項４】
前記カム溝の段差は、前記下ガイド溝の出口側と、前記凹み部の入口側と出口側と、前記上ガイド溝と下ガイド溝の合流部分とにそれぞれ設けられていることを特徴とする請求項２記載のカードコネクタ。
【請求項５】
前記カム溝の最深部は、前記イジェクト部材の側壁の、ばね収納部の半円状の肉厚部に設けられていることを特徴とする請求項３記載のカードコネクタ。
【請求項６】
前記カムレバーは、両端がほぼ直角に折り曲げられていて、一端が前記下ハウジング部材に係止され、他端が前記イジェクト部材のカム溝にカム係合されるように設けられていることを特徴とする請求項３記載のカードコネクタ。
【請求項７】
前記上ガイド溝と下ガイド溝は、前記ハート形カムの先細端部にて合流して１つの直線状ガイド溝となっていることを特徴とする請求項３記載のカードコネクタ。
【請求項８】
前記イジェクト機構のばね部材が圧縮ばねであることを特徴とする請求項１記載のカードコネクタ。
【請求項９】
前記圧縮ばねは、前記イジェクト機構のイジェクト部材によって押されて圧縮されることを特徴とする請求項８記載のカードコネクタ。
【請求項１０】
前記圧縮ばねの一端が、前記下ハウジング部材の端壁に係止され、他端が、前記イジェクト部材のばね収納部に係止されていることを特徴とする請求項９記載のカードコネクタ。
【発明の詳細な説明】
【０００１】
【発明の属する技術分野】
本発明は、携帯電話機、電話機、ＰＤＡ（ｐｅｒｓｏｎａｌ　ｄｉｇｉｔａｌ　ａｓｓｉｓｔａｎｃｅ）、携帯型オーディオ、カメラ等の電子機器や情報端末機器等に取付けられるカードコネクタに係わるもので、特に、ＩＣカードやＳＤカード等のカードを円滑に挿入、抜き出しできるカードコネクタに関するものである。
【０００２】
【従来の技術】
近年、携帯電話機、電話機、ＰＤＡ（ｐｅｒｓｏｎａｌ　ｄｉｇｉｔａｌ　ａｓｓｉｓｔａｎｃｅ）、携帯型オーディオ、カメラ等の電子機器や情報端末機器等においては、ＣＰＵやメモリ用のＩＣチップと呼ばれるＩＣ部品が組込まれたＩＣカードやＰＣカード、ＳＤカード、ＳＩＭカード等の利用が非常に増大し、このようなＩＣカードやＰＣカード、ＳＤカードやＳＩＭカード等の小型のメモリカードを挿入するカードコネクタが広く求められている。
【０００３】
また、従来のこのようなカードコネクタにおいては、市場要求として高さを低くして低背化と小型化を図り、かつカードの挿入と、抜き出しに必要な十分な強度のカードコネクタが求められており、さらに、挿入されたカードを容易に放出することができること等が求められている。このような要求を達成するために、上面にカバー部材としての上ハウジング部材を有し、このようなカバー部材としての上ハウジング部材を、絶縁材料で作られたコネクタ本体としての下ハウジング部材に対して組込んで中空のコネクタハウジングを形成し、カードを容易に放出するためにカードイジェクト機構が設けられている。（例えば、特許文献１，２参照）
【０００４】
図２４ないし２９には、このような従来におけるカードコネクタの一例が示されており、カードコネクタ全体と、カバー部材を取外して、イジェクト機構と複数個のコンタクトが設けられたコネクタ本体としての下ハウジング部材とが示されており、図２４は、従来におけるカードコネクタの外観斜視図で、図２５は、図２４のカードコネクタのカバー部材である上ハウジング部材を取外した状態での斜視図、図２６は、図２５の下ハウジング部材の下面からの底面斜視図で、図２７は、図２６の下ハウジング部材の拡大部分底面斜視図、図２８は、イジェクト部材の底面斜視図で、図２９は、イジェクト部材の横方向断面部分図である。
【０００５】
図示されるように、従来におけるカードコネクタ１００は、コネクタ本体としての下ハウジング部材１０２と、この下ハウジング部材１０２と組合せられて中空のハウジング構造を形成するカバー部材としての上ハウジング部材１０３と、カードを放出するイジェクト機構１０４と、カードと電気的に接続する複数個のコンタクト１０５とを有している。
【０００６】
このような従来のカードコネクタ１００において、コネクタ本体としての下ハウジング部材１０２は、適宜な合成樹脂材料などの絶縁材料によって成形して作られ、金属板材料のカバー部材としての上ハウジング部材１０３と組合せられて中空の偏平なハウジング形状に形成されて、カードが挿入されるように作られている。また、このような絶縁材料の下ハウジング部材１０２の一側に沿ってイジェクト機構１０４が設けられていて、カードをカードコネクタ１００からスムーズに取り出しできるようになっていると共に、カードコネクタ１００に挿入されたカードの先端部に配列されたパッド部と接続されるように複数個のコンタクト１０５が設けられている。
【０００７】
このような従来のカードコネクタ１００におけるイジェクト機構１０４は、例えば、下ハウジング部材１０２の一方の側の縁辺に沿って滑動可能に装着されたスライダとしてのイジェクト部材１０６と、このイジェクト部材１０６を弾性附勢するコイルスプリングのようなばね部材１０７と、イジェクト部材１０６と一体に形成されてカードをカードコネクタ１００の外方に放出するように押出すための押出部材１０８とを有しており、ばね部材１０７の、押圧力のような弾性力によってイジェクト部材１０６を弾性的に押して押出部材１０８を介してカードを外方に押出すことができるように構成されている。また、押出部材１０８は、イジェクト部材１０６の作動方向に対してほぼ直角な方向に延出しており、カードの先端部が当接してイジェクト部材１０６を介して作動できるようになっている。
【０００８】
【特許文献１】
特開２００１−１４３８１５号公報（第２−３頁、第１−６図）
【０００９】
【特許文献２】
特開２００１−１４３７８９号公報（第３頁、第１−３図）
【００１０】
【発明が解決しようとする課題】
しかしながら、このような従来のカードコネクタ１００において、ＩＣカードやＰＣカードまたはＳＤカードやＳＩＭカード等のカードを挿入して用いる場合に、押出部材１０８と一体的に設けられたイジェクト部材１０６によってコイルスプリングのような圧縮ばねとしてのばね部材１０７を圧縮して、このばね部材１０７のばね力をカード排出時に利用してカードを押出すようになっており、ばね部材１０７の一方の端部が下ハウジング部材１０２の係止金具１０９に係止され、他方の端部がイジェクト部材１０６に係止されている。
【００１１】
従って、このような従来のカードコネクタ１００においては、ばね部材１０７の一端部が係止されている絶縁材料の下ハウジング部材１０２の係止金具１０９と、イジェクト部材１０６とにそれぞれ係止されるために、イジェクト部材１０６が長くなり、これに伴ってカードコネクタ１００全体の長さも長くなって、全体的な小型化が困難である等の問題が見られる。
【００１２】
従って、本発明の目的は、このような従来における問題点を解決するために、イジェクト部材の側壁にカード排出用のハート形カムを設けてカードコネクタの幅を小さくすることができると共に、イジェクト部材を短く製作してカードコネクタ全体の長さを短く作くることができるようにして全体的に小型化することができるように構成されたカードコネクタを提供することにある。
【００１３】
【課題を解決するための手段】
上述の目的を達成するために、本発明のカードコネクタは、下ハウジング部材と、該下ハウジング部材に組合せられる上ハウジング部材とによって中空のハウジング形状に形成され、カードを排出するイジェクト機構が設けられたカードコネクタにおいて、該イジェクト機構が、前記カードを排出するイジェクト部材と、該イジェクト部材を弾性附勢するばね部材とを有し、前記イジェクト部材の外側の側壁にハート形カムを設けて該ハート形カムの周りにループ状のカム溝を形成し、前記下ハウジング部材に一端が支承されたカムレバーの他端を前記ハート形カムの周囲のカム溝に沿って摺動可能に設けられたことを特徴とする。
【００１４】
また、本発明のカードコネクタは、前記カム溝の底面に段差を設けて、前記カムレバーの他端に対する逆方向の摺動を防止するようにしたことを特徴とする。
【００１５】
さらに、本発明のカードコネクタは、前記イジェクト機構のイジェクト部材が、前記カードの切欠かれた角部が当接されるカード当接部が設けられると共に、前記イジェクト部材の側壁に前記ハート形カムと、前記ハート形カムを取り囲む上ガイド溝および下ガイド溝と、前記ハート形カムの凹み部にカムレバー係止部とを有するカム溝が設けられ、さらに、該カムレバー係止部から分岐して延出する一対のカード排出作動開始用ガイド溝が設けられていることを特徴とする。
【００１６】
さらにまた、本発明のカードコネクタは、前記カム溝の段差が、前記下ガイド溝の出口側と、前記凹み部の入口側と出口側と、前記上ガイド溝と下ガイド溝の合流部分とにそれぞれ設けられていることを特徴とする。
【００１７】
本発明のカードコネクタは、前記カム溝の最深部が、前記イジェクト部材の側壁の、ばね収納部の半円状の肉厚部に設けられていることを特徴とする。
【００１８】
また、本発明のカードコネクタは、前記カムレバーが、両端がほぼ直角に折り曲げられていて、一端が前記下ハウジング部材に係止されて、他端が前記イジェクト部材のカム溝にカム係合されるように設けられていることを特徴とする。　さらに、本発明のカードコネクタは、前記上ガイド溝と下ガイド溝とが、前記ハート形カムの先細端部にて合流して１つの直線状ガイド溝となっていることを特徴とする。
【００１９】
さらにまた、本発明のカードコネクタは、前記イジェクト機構のばね部材が圧縮ばねであることを特徴とする。
【００２０】
本発明のカードコネクタは、前記圧縮ばねが、前記イジェクト機構のイジェクト部材によって押されて圧縮されることを特徴とする。
【００２１】
また、本発明のカードコネクタは、前記圧縮ばねの一端が、前記下ハウジング部材の端壁に係止され、他端が、前記イジェクト機構のイジェクト部材に係止されていることを特徴とする。
【００２２】
本発明のその他の目的や特徴および利点は、添付図面に示される本発明の実施形態についての以下の詳細な説明から明らかである。
【００２３】
【発明の実施の形態】
（実施例）
図１ないし図２３は、本発明のカードコネクタの一実施例を示す図であって、図１は、本発明におけるカードコネクタを示す全体の斜視図で、図２は、図１の本発明のカードコネクタを、上ハウジング部材を取外して示す斜視図、図３は、図１の本発明のカードコネクタにカードを挿入する時の斜視図で、図４は、図３の本発明のカードコネクタにカードを挿入した時の斜視図、図５は、図４の本発明カードコネクタの上ハウジング部材を取外して示す斜視図で、図６は、図５のイジェクト機構のイジェクト部材を拡大して示す拡大部分斜視図、図７は、本発明のカードコネクタの底面部分を示す斜視図で、図８は、下ハウジング部材を取外して示すロック状態での底面斜視図、図９は、図８におけるイジェクト部材とばね部材とを示すロック状態での拡大部分図で、図１０は、イジェクト状態での同様な拡大部分図である。
【００２４】
さらにまた、図１１は、本発明のカードコネクタにおけるイジェクト部材の外観斜視図で、図１２は、図１１のイジェクト部材のハート形カム部分の拡大部分図であり、図１３は、図１１のイジェクト部材のハート形カムを示す側面図で、図１４は、図１１のハート形カムにおける動作順序を示すイジェクト部材の側面図、図１５は、図１４のハート形カムの段差を示す拡大部分図で、図１６は、一番目の段差における移動を示す拡大部分図、図１７は、二番目の段差における移動を示す同様な拡大部分図で、図１８は、三番目の段差における移動を示す同様な拡大部分図、図１９は、三番目の段差の面内での移動を示す拡大部分図で、図２０は、斜面を上る移動を示す拡大部分図、図２１は、イジェクト部材の斜視図で、図２２は、イジェクト部材のハート形カム部分を断面した部分斜視図、図２３は、イジェクト部材のハート形カム部分の横方向断面部分図である。
【００２５】
図１ないし図１０に示されるように、本発明のカードコネクタ１は、コネクタ本体としての下ハウジング部材２と、この下ハウジング部材２に組合せられるカバー部材としての上ハウジング部材３とによって中空で偏平なハウジング形状に構成されている。このような本発明のカードコネクタ１の中空のハウジング形状は、一方の側が開放されていてカード挿入口６が形成され、他方の側は端壁１５によって閉鎖されている。また、下ハウジング部材２の上面には、カード２０の接触パッド２２と電気的な接続をなす複数個のコンタクト５が整列して設けられており、カードコネクタ１のカード挿入口６付近にまで延びている。
【００２６】
なお、本実施例において、本発明のカードコネクタ１に用いられているカード２０は、例えば、ＳＤカードや小型のメモリカード等を使用できるように適用されている。しかしながら、本発明においては、何等このようなＳＤカードや小型のメモリカードだけの使用にのみ制限されるものではなく、ＳＤカードの外にも、ＩＣカードやＳＩＭカード等の他の同様なメモリカードでも良好に適用できることは勿論である。
【００２７】
また、本発明のカードコネクタ１において、カード２０は、図３、図５、図８に示されるように、適宜な厚さを有しており、先端の角部の１つが斜めに切り落とされて切欠き部２１が設けられている。さらにまた、カード２０の下面には先端部分に複数個の窪み部２３が形成されていて、これら窪み部２３の各々に接触パッド２２が設けられている。これら接触パッド２２は、電源用、データ、コマンド、クロック用等の信号ピンを有するように構成されており、カード２０の接触パッド２２を下にして本発明のカードコネクタ１にカード２０が挿入されるものである。
【００２８】
図１、図２、図７ないし図１０に示されるように、本発明のカードコネクタ１は、コネクタ本体としての下ハウジング部材２と、カバー部材としての上ハウジング部材３と、カード２０を排出するためのカム機構７が設けられたイジェクト機構４と、複数個のコンタクト５とを有しており、例えば各種電子機器や情報端末機器等に組み込んで適用するように構成されている。
【００２９】
このような本発明のカードコネクタ１において、コネクタ本体としての下ハウジング部材２は、適宜な合成樹脂材料などの絶縁材料によって成形して作られる。他方、上ハウジング部材３は、金属板材料のような板金によってカバー部材として打ち抜きや、プレス加工等によって作られる。従って、このような下ハウジング部材２は、上ハウジング部材３と組合せられて中空の偏平なハウジング形状に形成されていて、カード２０が挿入されるカード用の空所が設けられている。そして、このカード用空所内に、カード２０が挿入されて収容されるように作られている。
【００３０】
また、このような絶縁材料の下ハウジング部材２は、図示されるように、下板部１１と、左右の側壁１２、１３と、閉鎖された側の端壁１４とを有している。さらに、下ハウジング部材２には、左右の側壁１２、１３に沿ってそれぞれ案内通路１５、１６が設けられており、これら側壁１２、１３の一方の側壁、すなわち側壁１３に沿ってイジェクト機構４が設けられている。従って、このイジェクト機構４によって、カード２０をカードコネクタ１に対してスムーズに挿入し、また取り出しできるようになっている。さらにまた、下ハウジング部材２の下板部１１には、複数個のコンタクト５を位置決めして固着するするための溝１７が設けられていて、この溝１７にコンタクト５が圧入されて固着されている。
【００３１】
各コンタクト５は、図２に示されるように金属条片から作られており、電子機器のプリント配線基板のコンタクトパッドに半田接続される端子部２４と、この端子部２４がほぼ直角に屈曲して延びて下ハウジング部材２の下板部１１の溝１７に圧入等によって固着される固定部２５と、この固定部２５から片持ち梁状に延びて弾性変位可能になった弾性ばね片部２６と、この弾性ばね片部２６の先端に円弧状に彎曲して形成された接点部２７とを有している。このようなコンタクト５は、接点部２７が、挿入されたカード２０の接触パッド２２と当接されて接触されるように形成されている。なお、これらコンタクト５は、端子部２４がカード挿入口６側に配置されて、接点部２７が端壁１４側に配置されている。このようにコンタクト５を配置することによって、本発明のカードコネクタ１の長さを短く製作することができる要因の１つとなっており、さらに、カード２０の挿入を容易にしている。
【００３２】
また、上ハウジング部材３は、図１、図３に示されるように、適宜な金属板材料を折り曲げて上板２８と左右の側板２９、３０とを有するように、プレス加工等によって作られている。こうして、下ハウジング部材２を覆うように、上ハウジング部材３がカバー部材として下ハウジング部材２の上に組合せられる。また、上ハウジング部材３の一方の側板３０に窓３１が形成されていて、カムレバー押え１８が設けられるように構成されている。
【００３３】
このような本発明のカードコネクタ１は、挿入されたカード２０をハウジングの奥の方に一度、少し押した後に放すことによって、挿入されているカード２０をイジェクト、すなわち排出するプッシュ・プッシュ・タイプのイジェクト機構４を有している。
【００３４】
このようなカード２０を排出するためのイジェクト機構４は、例えば、コネクタ本体としての下ハウジング部材２の一方の側壁１３に沿って内側に形成された収容部１９内を滑動可能に装着された操作部材としてのイジェクト部材８と、このイジェクト部材８によって押圧されて弾性変形するコイルスプリングのようなばね部材９と、イジェクト部材８の一方の側壁に形成されたハート形カム４０と、このハート形カム４０の周りのカム溝４１とカム係合するカムレバー１０とを有している。なお、このようなイジェクト機構４におけるカムレバー１０と、ハート形カム４０の周りのカム溝４１とによってカム機構７が形成されている。
【００３５】
このような本発明におけるイジェクト機構４は、ばね部材９の蓄勢された弾性力によってイジェクト部材８を押して、このイジェクト部材８によってカード２０を外方に放出、すなわち排出するように構成されている。従って、このようなイジェクト機構４において、カード２０を排出するためのイジェクト部材８が設けられているので、コイルスプリングのような圧縮ばねであるばね部材９によってイジェクト部材８が弾性的に押圧されるように形成されている。
【００３６】
特に、本発明においては、このようなばね部材９は、一端が下ハウジング部材３の端壁１４の一部に係止され、他端が、イジェクト部材８に形成されたトンネル形のばね収納部３２の内壁としての係止部３３に係合されている。そして、このイジェクト部材８が、下ハウジング部材３に形成された突起部３４に当接することによって停止されるように構成されている。従って、突起部３４がストッパーとして作用するように設けられており、圧縮ばねであるばね部材９がイジェクト部材８によって圧縮されて弾性変形されるように形成されている。
【００３７】
イジェクト部材８には、イジェクト部材８の作動方向、すなわちスライド方向に対してほぼ直角な方向に内側に突出するように延出して、カード２０の先端部が当接すると共に、カード２０の切欠き部２１が当接して係合できるように、カード２０の切欠き部２１と対応する形状に形成されたカード当接部３５が設けられている。従って、このようなカード当接部３５を有するイジェクト部材８は、カード２０と良好に接触、係合してイジェクト部材８を介してばね部材８を押圧して圧縮することができると共に、イジェクト部材８によってカード２０を外方に排出することができるように構成されている。
【００３８】
また、カード２０の一端が面取り等によって切欠かれて設けられた切欠き部２１は、イジェクト部材８の連結角部のカード当接部３５に良好に係合するようになっているので、カード２０を誤って裏返して挿入されるのを防止する誤操作防止手段として作用することができる。
【００３９】
上述したように構成された本発明のカードコネクタ１によれば、コネクタ本体としての下ハウジング部材２と、この下ハウジング部材２に組合せられるカバー部材としての上ハウジング部材３とによって中空の偏平なハウジング形状にカードコネクタ１が形成されて、ばね部材９を有するカード排出用のイジェクト機構４が設けられている。さらに、このようなイジェクト機構４のばね部材９の一端が、下ハウジング部材２の端壁１４に係止されて、他端が、イジェクト部材８に形成されたばね収納部３２の係止部３３に係合されている。従って、このイジェクト部材８が下ハウジング部材２に形成された突起部３４に当接することによって停止されるので、カードコネクタ１自体を偏平で薄形に製作することができて低背化することが可能であり、各種電子機器や携帯電話機のような情報端末機器等に好適に使用することが可能である。これによって、カード２０は、接触パッド２２を下にしてカードコネクタ１内に差し込まれる。
【００４０】
図１１ないし図１４は、本発明のカードコネクタ１のイジェクト機構４におけるイジェクト部材８の一側に形成されたハート形カム４０を示す図で、本発明のカードコネクタ１のイジェクト機構４のイジェクト部材８の側壁を示す斜視図と側面図である。
【００４１】
図示される本発明のカードコネクタ１は、上述したように、例えば、ＳＤカードや小型のメモリカード等のようなカード２０を挿入、排出するプッシュ・プッシュ・タイプのカードコネクタである。従って、カードコネクタ１に挿入したカード２０を抜き出す時には、一度、カード２０を幾分、押し込んだ後に、抜き出すタイプの、所謂、プッシュ・プッシュ・タイプのカードコネクタを形成するものである。
【００４２】
このために、本発明のカードコネクタ１においては、イジェクト機構４のイジェクト部材８の一方の側壁にハート形カム２４が設けられており、さらに、このハート形カム２４の周りにループ状のカム溝４１が設けられていて、このカム溝４１に沿ってにカムレバー１０の端部３８がカム係合して、カムホロワーとして作動するように形成されている。従って、カムレバー１０の端部３８のこのようなカムホロワーとしてのカム作動によって、カード２０の、挿入、排出が行なわれるように、カム溝４１がループ状に形成されている。さらに、カムレバー１０の端部３８に対する逆方向の動きを防止するためにカム溝４１の底面の適所に、後述するように段差Ａ、Ｂ、Ｃ、Ｄが設けられている。
【００４３】
図示されるように、本発明のカードコネクタ１おいて、イジェクト部材８の側壁には、ほぼハート形のカム要素としてのハート形カム４０が横向きの状態で設けられており、このハート形カム４０の周りにカム溝４１を形成する上ガイド溝４２と下ガイド溝４３とが設けられている。これら上ガイド溝４２と下ガイド溝４３は、ハート形カム４０の先細の尖端部において合流していて、さらに先の方に直線状に延びており、直線状ガイド溝４８が設けられている。
【００４４】
また、ハート形カム４０の頭部の凹み部４６側には、ほぼ平行に短い長さの２つのカード排出作動開始用ガイド溝４４、４５が横方向につの状に突出するように延びている。これらカード排出作動開始用ガイド溝４４、４５は、根元部分がハート形カム４０の頭部の凹み部４６において上下方向に連通されていて、この凹み部４６の中央に、カムレバー１０を固定状態に維持するカムレバー用係止部４７が設けられている。さらに、このようなカム溝４１の底面には、段差Ａ、Ｂ、Ｃ、Ｄが設けられていて、カムレバー１０の端部３８に対する動きの、逆方向への移動を防止することができるように形成されている。
【００４５】
このような本発明のイジェクト部材８のハート形カム４０に対応して、カムレバー１０がカム係合するように設けられている。すなわち、カムレバー１０は、偏平なコの字形に両端がほぼ直角に折り曲げられており、一方の端部３７が下ハウジング部材２の孔（図示しない）に回動可能に支承され、他方の端部３８がハート形カム４０の周囲のカム溝４１にカム係合されていてカムホロワーとして作動するようになっている。従って、カムレバー１０は、一方の端部３７を支点として、他方の端部３８がカム溝４１に沿って従動するように形成されている。
【００４６】
また、このカム溝４１は、ほぼループ状に形成されていて、上ガイド溝４２と下ガイド溝４３、一対のカード排出作動開始用ガイド溝４４、４５、凹み溝４６、カムレバー用係止部４７、直線状ガイド溝４８を有している。従って、カムレバー１０の一方の端部３７が下ハウジング部材２に回動可能に支承されており、他方の端部３８が、上ガイド溝４２や下ガイド溝４３等を有するカム溝４１にカム係合されている。
【００４７】
これよって、カムレバー１０は、下ハウジング部材２に支承された端部３７を固定側とし、この固定のカムレバー１０に対して端部３８がカム係合するカム溝４１を有するイジェクト部材８が可動側として移動するように設けられており、カムレバー１０と、ハート形カム４０の周りの上ガイド溝４２や下ガイド溝４３等を有するカム溝４１とによってカム機構７が形成されている。
【００４８】
さらに、このようなハート形カム４０の周りのカム溝４１に対するカムレバー１０の端部３８の移動を一方向に限ぎって、逆方向への移動を防止するようにカム溝４１の底面の適所に段差Ａ、Ｂ、Ｃ、Ｄが設けられている。
【００４９】
図１３、図１４に示されるように、先ず、一番目の段差Ａは、下ガイド溝４３の出口に設けられており、下ガイド溝４３側が高くなっており、カード排出作動開始用ガイド溝４５側が低くなっている。
【００５０】
次いで、二番目の段差Ｂは、下のカード排出作動開始用ガイド溝４５の出口のところであって、上ガイド溝４２と下ガイド溝４３とを連通する凹み部４６のほぼ中程に形成されており、下のカード排出作動開始用ガイド溝４５側が高くなっている。
【００５１】
さらに、三番目の段差Ｃは、上のカード排出作動開始用ガイド溝４４の入口のところであって、かつ凹み部４６の上の出口のところに形成されており、凹み部４６のカムレバー係止部４７側が高くなっていて、上のカード排出作動開始用ガイド溝４４が低くなっている。
【００５２】
また、このようなカム溝４１の上ガイド溝４２に沿ってハート形カム４０の上の斜面のところには、外方に向って突出するように形成された登り斜面Ｅが、カムレバー１０の端部３８の先端面に対応して設けられている。
さらにまた、四番目の段差Ｄは、上ガイド溝４２と下ガイド溝４３との合流部分のところであって、かつ下ガイド溝４３の一方の側壁に相当する部分のところに設けられており、上ガイド溝４２が高くなっていて、下ガイド溝４３が低くなっている。
【００５３】
従って、このような段差Ａ、Ｂ、Ｃ、Ｄが形成されたカム溝４１においては、カムレバー１０の端部３８は、後に詳しく説明するようにカム溝４１に対するカムレバー１０の端部３８の相対的な移動において、図１４に示される如く矢印方向（時計方向）にループ状に移動することができ、逆方向（反時計方向）への移動が上記の段差Ａ、Ｂ、Ｃ、Ｄ部分によって防止されるように形成されている。
【００５４】
このような本発明のイジェクト機構４において、カード２０の挿入によってイジェクト部材８とカムレバー１０とのカム作動が次のように行われる。
【００５５】
先ず、図１４において、カード２０が、まだ挿入されていない挿入前のフリーな状態でのカードコネクタ１においては、カムレバー１０の端部３８は、直線状ガイド溝４８内に位置されている。この状態において、カード２０をカードコネクタ１内に挿入すれば、カード２０によってイジェクト部材８が押されてカードコネクタ１内に移動される。
【００５６】
従って、カムレバー１０の端部３８は、直線状ガイド溝４８を図１４において矢印で示されるように左方に動いて、直線状ガイド溝４８から下ガイド溝４３へと移動する。この時に、カムレバー１０の端部３８は、上述の段差Ｄによって上ガイド溝４２への進入が阻止されて、段差Ｄ部分に沿って移動することにより下ガイド溝４３へと案内される。従って、カムレバー１０の端部３８は、直線状ガイド溝４８から下ガイド溝４３へと段差Ｄ部分によって案内され、ハート形カム４０の下側のループ状部分の、この下ガイド溝４３に沿って移動して、段差Ａ部分を越えて下のカード排出作動開始用ガイド溝４５内へと入る。
【００５７】
この時に、カード２０は、一番奥の方にまで押し込められていて、ばね部材９はイジェクト部材８によって最大限にまで押されて圧縮されており、カムレバー１０の端部３８は下のカード排出作動開始用ガイド溝４５の閉じた端部に位置している。そこで、カード２０の挿入を停止してカード２０から手を放せば、カード２０は、ばね部材９によってイジェクト部材８が押されているために、カムレバー１０の端部３８がこの下のカード排出作動開始用ガイド溝４５から凹み部４６に入り、段差Ｂ部分を越えてハート形カム４０のカム溝４１のカムレバー係止部４７に当接して停止され、この位置において安定して固持される。この状態がカード挿入状態で、各種コンタクト５がカード２０の対応する接触パッド２２と良好に接触されて所定の接続状態が得られる。これによって、カード２０の挿入が完了し、カード２０がカードコネクタ１に装着される。
【００５８】
次に、このようなカード挿入状態からカード２０を抜き出すためには、カード２０を一度、軽く押し込んで、カムレバー１０の端部３８をハート形カム４０の凹み部４６のカムレバー係止部４７から段差Ｃ部分を越えて、上方のカード排出作動開始用ガイド溝４４内へと移動させる。
【００５９】
これによって、イジェクト部材８は、カムレバー１０による錠止が解除されて自由なフリー状態になるので、ばね部材９の押圧力によって排出方向に押圧されるようになり、カムレバー１０の端部３８は、段差Ｃ部分によって凹み部４６への進入が阻止されて、上のカード排出作動開始用ガイド溝４４から上ガイド溝４２へと移動する。従って、カムレバー１０の端部３８は、ハート形カム４０の周辺に沿って上ガイド溝４２内を矢印方向に移動し、登り斜面Ｅを越え、さらに段差Ｄを通って、下ガイド溝４３との合流部分を経て直線状ガイド溝４８内へと移動する。このようにして、カード２０がカードコネクタ１からイジェクト部材８によって排出されるようになってイジェクト部材８が下ハウジング部材２の突起部３４に当接して停止する。
【００６０】
なお、このような図１４に矢印で示されるイジェクト部材８のカム溝４１に対するカムレバー１０の端部３８の移動は、イジェクト部材８に対してカムレバー１０の端部３８が動くように説明されるが、これは相対的に図示、説明されるもので、実際には、カムレバー１０が固定側であり、イジェクト部材８が左右に往復移動する可動側で、カムレバー１０の端部３８に対するカム溝４１の上ガイド溝４２や下ガイド溝４３内の動きが矢印で示されるものであって、以下の説明においても同様に理解されるべきである。
【００６１】
このように、本発明のカードコネクタ１においては、カムレバー１０の端部３８が、図１５に示されるハート形カム４０の周りのカム溝４１内を移動し、この移動の際に、カムレバー１０の端部３８に対するイジェクト部材８のカム溝４１における逆方向の動きを防止するように段差Ａ、Ｂ、Ｃ、Ｄが設けられており、このような段差Ａ、Ｂ、Ｃ、Ｄと登り斜面Ｅとを移動する時のカムレバー１０の端部３８の位置が図１６ないし図２０にそれぞれ示されている。
【００６２】
図１６は、図１５の一番目の段差Ａのところに、カムレバー１０の端部３８が位置する時で、図１７は、下のカード排出作動開始用ガイド溝４５内に入った端部３８が再びカード排出作動開始用ガイド溝４５から出て、入口のところの二番目の段差Ｂの方へと位置する時である。また、図１８は、三番目の段差Ｃのあるハート形カム４０の凹み部４６のカムレバー係止部４７に位置する時で、図１９は、上のカード排出作動開始用ガイド溝４４の入口に位置する時である。さらにまた、図２０は、上ガイド溝４２に入る位置にある時で、これから端部３８は、上ガイド溝４２の底面の登り斜面Ｅに沿って登り、ハート形カム４０のカム溝４１の上方の斜面に沿って下って、上ガイド溝４２と下ガイド溝４３との合流箇所の四番目の段差Ｄを経て移動して直線状ガイド溝４８に入ってこの直線状ガイド溝４８内で停止するようになる。
【００６３】
従って、このようなループ状のカム溝４１に沿ってのカムレバー１０の端部３８の移動が、各段差Ａ、Ｂ、Ｃ、Ｄによって逆方向（図示にて反時計方向）への移動が阻止され、カムレバー１０の端部３８がカム溝４１に沿って図示の矢印の方向に正しく行なわれるように構成されており、カムレバー１０の端部３８に対する逆方向の動きが好適に防止されるようになっている。
【００６４】
また、このようなハート形カム４０の周りのカム溝４１の上ガイド溝４２や下ガイド溝４３に対してカード２０を抜き出すために、プッシュ・プッシュ作動する時には、挿入されたカード２０を僅かに一度押す。このカード２０の僅かな押しにより、カムレバー１０の端部３８をカムレバー係止部４７から上のカード排出作動開始用ガイド溝４４（図２０）内へと移動して、カムレバー１０の端部３８をカムレバー係止部４７から外せば、カムレバー１０による係止が外されるので、イジェクト部材８がばね部材９によって押されて、上ガイド溝４２がカムレバー１０の端部３８を基準として沿うように、イジェクト部材８が移動するように押される。従って、カムレバー１０の端部３８が、カム溝４１の合流点を経て直線状ガイド溝４８内に位置するようになって、カード２０がイジェクト部材８によって好適に排出されるようになる。
【００６５】
このように形成された本発明におけるカムレバー１０とハート形カム４０とから構成されるカム機構７に対して、カムレバー１０の脱落を防止すると共に、カムレバー１０の端部３８の滑らかな摺動を可能とするようにカムレバー１０の端部３８を押圧するカムレバー押さえ１８が設けられている。このカムレバー押え１８は、ほぼＬ字形の金属条片から作られ、基端部５０が下ハウジング部材２の側部に形成された溝４９に圧入されて片持ち梁状に支持されている。
【００６６】
また、カムレバー押え１８の先端部５１は、カムレバー１０側の方に突出した円弧状に形成されていて、基端部５０を支点として弾性変位可能に支持されている。また、カムレバー押え１８は、イジェクト部材８の移動に伴って弾性変位するので、この弾性変位を可能にするように上ハウジング部材３の側板３０に開口部としての窓３１が形成されている。
【００６７】
図２１ないし図２３には、このような本発明のカードコネクタ１のハート形カム４０の周りのカム溝４１とばね部材９の一端が収納されるばね収納部３２の壁との厚さの状態が示されている。図示されるように、イジェクト部材８における最も深い上ガイド溝４２が、イジェクト部材８の側壁の、壁の最も厚い上方の部分に設けられており、これによってばね収納部３２と側壁との間を必要な肉厚ｔを介して最小の厚さにできることを示している。
【００６８】
これによって、本発明のカードコネクタ１は、イジェクト部材８のばね収納部３２における幅方向の厚さをｓ部分だけ狭くすることができるものである。従って、図２９に示される従来のカードコネクタ１００のばね収納部１３２における幅方向の厚さｗよりも、本発明のカードコネクタ１のばね収納部３２における幅方向の厚さＷを小さく狭くすることができる。これは、当然に、本発明のカードコネクタ１の全体の幅を対応するｓ部分だけ狭くして小型化できることを意味するものである。
【００６９】
このように、本発明のカードコネクタ１においては、往復運動をするイジェクト部材８の一方の側壁部分にハート形カム４０を設けて、その周りのカム溝４１を選択的に移動するカムレバー１０の端部３８が逆方向に移動しないようにするための段差ＡないしＤがカム溝４１に設けられており、その一番深く落ち込んだ段差Ｃの最後の面が上ガイド溝４２の溝面としてイジェクト部材８のばね収納部３２の上部に対応したイジェクト部材８の樹脂材料部分に形成され、これによってイジェクト部材８における幅方向の寸法を小さくでき、これに基づいてカードコネクタ１全体の幅を狭くして小型化することが可能となる。
【００７０】
また、本発明においては、ハート形カム４０がイジェクト部材８の側壁部分に設けられてイジェクト部材８自体の長さを短く小さくすることができるので、これによって、カードコネクタ１の長さを短くして小型化することができるものである。
【００７１】
【発明の効果】
本発明の請求項１記載のカードコネクタは、下ハウジング部材と、該下ハウジング部材に組合せられる上ハウジング部材とによって中空のハウジング形状に形成され、カードを排出するイジェクト機構が設けられたカードコネクタにおいて、該イジェクト機構が、前記カードを排出するイジェクト部材と、該イジェクト部材を弾性附勢するばね部材とを有し、前記イジェクト部材の外側の側壁にハート形カムを形成し、前記下ハウジング部材に一端が支承されたカムレバーの他端を前記ハート形カムの周囲のカム溝に沿って摺動可能に設けられているので、カードコネクタの幅を小さくすることができると共に、イジェクト部材を短く製作してカードコネクタ全体の長さを短く作くることができ、全体的に小型化することができるように構成できる。
【００７２】
本発明の請求項２記載のカードコネクタは、前記カム溝の底面に段差を設けて、前記カムレバーの他端に対する逆方向の摺動を防止するようにしたので、カム溝に沿ってのカムレバーの端部に対する動きの逆方向の移動を好適に防止することができ、カムレバーがカム溝に沿って好適にカム作動することができる。
【００７３】
本発明の請求項３記載のカードコネクタは、前記イジェクト機構のイジェクト部材は、前記カードの切欠かれた角部が当接されるカード当接部が設けられると共に、前記イジェクト部材の側壁に前記ハート形カムと、前記ハート形カムを取り囲む上ガイド溝および下ガイド溝と、前記ハート形カムの凹み部にカムレバー係止部とを有するカム溝が設けられ、さらに、該カムレバー用係止部から分岐して延出する一対のカード排出作動開始用ガイド溝が設けられているので、往復移動するイジェクト部材に対してループ状のカム溝に沿って選択的に移動するカムレバーによってカードを良好にプッシュ・プッシュ作動して排出することができると共に、カードコネクタのサイズを短くして小型化することができる。
【００７４】
本発明の請求項４記載のカードコネクタは、前記カム溝の段差が、前記下ガイド溝の出口側と、前記凹み部の入口側と出口側と、前記上ガイド溝と下ガイド溝の合流部分とにそれぞれ設けられているので、ループ状に形成されるカム溝に沿ってのカムレバーの端部に対する動きの逆方向の移動を段差によって好適に防止することができ、カムレバーのカム溝に沿っての良好なカム作動を得ることができる。
【００７５】
本発明の請求項５記載のカードコネクタは、前記カム溝の最深部が、前記イジェクト部材の側壁の、ばね収納部の半円状の肉厚部に設けられているので、ばね収納部と側壁との間を必要な肉厚を介して最小の厚さにすることができ、これによりカードコネクタの全体の幅を狭くして小型化することができる。
【００７６】
本発明の請求項６記載のカードコネクタは、前記カムレバーが、両端がほぼ直角に折り曲げられていて、一端が前記下ハウジング部材に係止され、他端が前記イジェクト部材のカム溝にカム係合されるように設けられているので、カム機構をイジェクト部材の側壁部分に好適に形成してイジェクト部材を短く作ることができると共に、カム溝の深い溝をイジェクト部材の上方部分に設けて幅方向の厚さを小さくして全体の幅を狭くし、かつ長さ方向のサイズを短くすることができる。
【００７７】
本発明の請求項７記載のカードコネクタは、前記上ガイド溝と下ガイド溝が、前記ハート形カムの先細端部にて合流して１つの直線状ガイド溝となっているので、カムレバーにおける動きを円滑にしてスムーズに操作することができ、カードを好適に排出して取り出すことができる。
【００７８】
本発明の請求項８記載のカードコネクタは、前記イジェクト機構のばね部材が圧縮ばねであるので、ばね部材のばね力を好適に用いてカードをスムーズに排出することができる。
【００７９】
本発明の請求項９記載のカードコネクタは、前記圧縮ばねが、前記イジェクト機構のイジェクト部材によって押されて圧縮されるので、ばね部材のばね力を利用してカードを良好に排出することができる。
【００８０】
本発明の請求項１０記載のカードコネクタは、前記圧縮ばねの一端が、前記下ハウジング部材の端壁に係止され、他端が、前記イジェクト機構のイジェクト部材に係止されているので、ばね部材のばね力を利用してイジェクト機構によってカードを円滑に放出することができる。
【図面の簡単な説明】
【図１】本発明におけるカードコネクタを示す全体の斜視図である。
【図２】図１の本発明のカードコネクタを、上ハウジング部材を取外して示す斜視図である。
【図３】図１の本発明のカードコネクタにカードを挿入する時の斜視図である。
【図４】図３の本発明のカードコネクタにカードを挿入した時の斜視図である。
【図５】図４の本発明のカードコネクタの上ハウジング部材を取外して示す斜視図である。
【図６】図５に示されるイジェクト機構のイジェクト部材を拡大して示す拡大部分斜視図である。
【図７】本発明のカードコネクタの底面部分を示す斜視図である。
【図８】下ハウジング部材を取外して示すロック状態での底面斜視図である。
【図９】図８におけるイジェクト部材とばね部材とを示すロック状態での拡大部分図である。
【図１０】イジェクト状態での同様な拡大部分図である。
【図１１】本発明のカードコネクタにおけるイジェクト部材の外観斜視図である。
【図１２】図１１のイジェクト部材のハート形カム部分の拡大部分図である。
【図１３】図１１のイジェクト部材のハート形カムを示す側面図である。
【図１４】図１１のハート形カムにおけるカムレバーの端部の動作順序を示すイジェクト部材の側面図である。
【図１５】図１４のハート形カムの段差を示す拡大部分図である。
【図１６】一番目の段差の移動を示す拡大部分図である。
【図１７】二番目の段差の移動を示す同様な拡大部分図である。
【図１８】三番目の段差の移動を示す同様な拡大部分図である。
【図１９】三番目の段差の面内での移動を示す拡大部分図である。
【図２０】斜面を上る移動を示す拡大部分図である。
【図２１】イジェクト部材の斜視図である。
【図２２】イジェクト部材のハート形カム部分を断面した部分斜視図である。
【図２３】イジェクト部材のハート形カム部分の横方向断面部分図である。
【図２４】従来におけるカードコネクタの外観斜視図である。
【図２５】図２４のカードコネクタのカバー部材である上ハウジング部材を取外した状態での斜視図である。
【図２６】図２５の下ハウジング部材の下面からの底面斜視図である。
【図２７】図２６の下ハウジング部材の拡大部分底面斜視図である。
【図２８】イジェクト部材の底面斜視図である。
【図２９】イジェクト部材の横方向断面部分図である。
【符号の説明】
１　　　カードコネクタ
２　　　下ハウジング部材
３　　　上ハウジング部材
４　　　イジェクト機構
５　　　コンタクト
６　　　カード挿入口
７　　　カム機構
８　　　イジェクト部材
９　　　ばね部材
１０　　カムレバー
１１　　下板部
１２　　側壁
１３　　側壁
１４　　端壁
１５　　案内通路
１６　　案内通路
１７　　溝
１８　　カムレバー押え
１９　　収容部
２０　　カード
２１　　切欠き部
２２　　接触パッド
２３　　窪み部
２４　　端子部
２５　　固定部
２６　　弾性ばね片部
２７　　接点部
２８　　上板
２９　　側板
３０　　側板
３１　　窓
３２　　ばね収納部
３３　　係止部
３４　　突起部
３５　　カード受け部
３７　　端部
３８　　端部
４０　　ハート形カム
４１　　カム溝
４２　　上ガイド溝
４３　　下ガイド溝
４４　　カード排出作動開始用ガイド溝
４５　　カード排出作動開始用ガイド溝
４６　　凹み部
４７　　カムレバー係止部
４８　　直線状ガイド溝
４９　　溝
５０　　基端部
５１　　先端部
Ａ、Ｂ、Ｃ、Ｄ　　段差
Ｅ　　　登り斜面
【図１】
2004095449.tif 000003
【図２】
2004095449.tif 000004
【図３】
2004095449.tif 000005
【図４】
2004095449.tif 000006
【図５】
2004095449.tif 000007
【図６】
2004095449.tif 000008
【図７】
2004095449.tif 000009
【図８】
2004095449.tif 000010
【図９】
2004095449.tif 000011
【図１０】
2004095449.tif 000012
【図１１】
2004095449.tif 000013
【図１２】
2004095449.tif 000014
【図１３】
2004095449.tif 000015
【図１４】
2004095449.tif 000016
【図１５】
2004095449.tif 000017
【図１６】
2004095449.tif 000018
【図１７】
2004095449.tif 000019
【図１８】
2004095449.tif 000020
【図１９】
2004095449.tif 000021
【図２０】
2004095449.tif 000022
【図２１】
2004095449.tif 000023
【図２２】
2004095449.tif 000024
【図２３】
2004095449.tif 000025
【図２４】
2004095449.tif 000026
【図２５】
2004095449.tif 000027
【図２６】
2004095449.tif 000028
【図２７】
2004095449.tif 000029
【図２８】
2004095449.tif 000030
【図２９】
2004095449.tif 000031